(57)【要約】【課題】製作加工が容易で、耐力に優れた寄せ撞木ほぞ接合構造を提供する。【解決手段】部材１２、１４どうしを接合する構造１０であって、一方の部材１４の上面２２に設けられたほぞ穴２４および逃げ穴２６と、他方の部材１２の下面１６に設けられ、一方の部材１４の逃げ穴２６からほぞ穴２４に寄せてほぞ穴２４に嵌合する側方視で撞木状のほぞ部１８とを備え、ほぞ穴２４はほぞ部１８と同一形状に形成されている。ほぞ部１８のせん断補強をするためのせん断補強材２０をさらに備えることが望ましい。【選択図】図１
2020197042.tif 000002
【特許請求の範囲】
【請求項１】
部材どうしを接合する構造であって、
一方の部材の上面に設けられたほぞ穴および逃げ穴と、他方の部材の下面に設けられ、一方の部材の逃げ穴からほぞ穴に寄せてほぞ穴に嵌合する側方視で撞木状のほぞ部とを備え、ほぞ穴はほぞ部と同一形状に形成されていることを特徴とする寄せ撞木ほぞ接合構造。
【請求項２】
ほぞ部のせん断補強をするためのせん断補強材をさらに備えることを特徴とする請求項１に記載の寄せ撞木ほぞ接合構造。
【発明の詳細な説明】
【技術分野】
【０００１】
本発明は、寄せ撞木ほぞ接合構造に関するものである。
【背景技術】
【０００２】
従来、庇の腕木、釣束と鴨居などの取合いに使用される寄せ蟻ほぞ接合構造が知られている。図３、図４は、従来の接合構造の一例である。これらの図に示すように、部材１（束材）の下端に蟻ほぞ２を形成するとともに、部材３（梁材）に蟻ほぞ穴４と逃げ穴５を形成し、蟻ほぞ２を逃げ穴５から差し込んで横に移動させ、蟻ほぞ穴４に収めることによって、部材１と部材３を接合する。
【０００３】
一方、柱と土台、柱と梁等の木材どうしを結合する際に平ほぞと金物等を用いた構造として、例えば特許文献１に記載のものが知られている。
【先行技術文献】
【特許文献】
【０００４】
【特許文献１】特開２００５−９００８５号公報
【発明の概要】
【発明が解決しようとする課題】
【０００５】
ところで、木材の材料強度の大小関係は通常、圧縮強度＞引張強度＞＞せん断強度＞めり込み強度となる。伝統工法で用いられている接合部の多くは、木材のめり込みによってその耐力が決まるため高い耐力を期待することは難しく、上述した寄せ蟻ほぞ接合構造もその例外ではない。
【０００６】
また、伝統工法で用いられる接合部は、その形状が煩雑であり、高い技能を有する者でなければ製作加工がかなわない。また、高い技能を有していたとしても、その製作には時間が掛かるため、生産性が非常に低いという問題がある。
【０００７】
このため、製作加工が容易で、耐力に優れたほぞ接合構造が求められていた。
【０００８】
本発明は、上記に鑑みてなされたものであって、製作加工が容易で、耐力に優れた寄せ撞木ほぞ接合構造を提供することを目的とする。
【課題を解決するための手段】
【０００９】
上記した課題を解決し、目的を達成するために、本発明に係る寄せ撞木ほぞ接合構造は、部材どうしを接合する構造であって、一方の部材の上面に設けられたほぞ穴および逃げ穴と、他方の部材の下面に設けられ、一方の部材の逃げ穴からほぞ穴に寄せてほぞ穴に嵌合する側方視で撞木状のほぞ部とを備え、ほぞ穴はほぞ部と同一形状に形成されていることを特徴とする。
【００１０】
また、本発明に係る他の寄せ撞木ほぞ接合構造は、上述した発明において、ほぞ部のせん断補強をするためのせん断補強材をさらに備えることを特徴とする。
【発明の効果】
【００１１】
本発明に係る寄せ撞木ほぞ接合構造によれば、部材どうしを接合する構造であって、一方の部材の上面に設けられたほぞ穴および逃げ穴と、他方の部材の下面に設けられ、一方の部材の逃げ穴からほぞ穴に寄せてほぞ穴に嵌合する側方視で撞木状のほぞ部とを備え、ほぞ穴はほぞ部と同一形状に形成されているので、製作加工が容易で、耐力に優れた寄せ撞木ほぞ接合構造を提供することができるという効果を奏する。
【００１２】
また、本発明に係る他の寄せ撞木ほぞ接合構造によれば、ほぞ部のせん断補強をするためのせん断補強材をさらに備えるので、寄せ撞木ほぞ接合構造の耐力をさらに向上することができるという効果を奏する。
【図面の簡単な説明】
【００１３】
【図１】図１は、本発明に係る寄せ撞木ほぞ接合構造の実施の形態を示す図であり、（１）は上面図、（２）は男木の正面断面図、（３）は側面図、（４）は男木の側面断面図である。
【図２】図２は、本発明の効果の説明図であり、（１）は比較例、（２）は実施例である。
【図３】図３は、従来のほぞ接合構造の一例を示す概略図であり、（１）は上面図、（２）は部分横断面図、（３）は側面図、（４）は分解斜視図である。
【図４】図４は、従来のほぞ接合構造の一例を示す概略図であり、（１）は上面図、（２）は部分横断面図、（３）は側面図、（４）は部分縦断面図、（５）は分解斜視図である。
【発明を実施するための形態】
【００１４】
以下に、本発明に係る寄せ撞木ほぞ接合構造の実施の形態を図面に基づいて詳細に説明する。なお、この実施の形態によりこの発明が限定されるものではない。
【００１５】
図１に示すように、本実施の形態に係る寄せ撞木ほぞ接合構造１０は、角型断面の男木１２（部材）と女木１４（部材）どうしを接合する構造である。男木１２の下面１６には、撞木状のほぞ部１８と、ほぞ部１８のせん断補強をするためのビス２０（せん断補強材）が設けられている。女木１４の上面２２には、ほぞ穴２４および逃げ穴２６が隣接して設けられている。
【００１６】
ほぞ部１８は、男木１２の下部の幅方向両側面に、正面視でコの字状の溝部２８を奥行き方向に形成することによって設けることができる。ビス２０は、図１（１）、（２）に示すように、ほぞ部１８の下端の頭部３０に打ち込まれ、ほぼ幅方向全長に亘って延びている。このビス２０は、図１（３）、（４）に示すように、奥行き方向に間隔をあけて複数本（図の例では６本）設けられている。ほぞ部１８の頭部３０にビス２０を打ち込むことで、せん断割れに対する補強を行うことが可能である。
【００１７】
ほぞ穴２４は、女木１４の軸方向視でほぞ部１８と同一形状の穴である。このほぞ穴２４の下側には、ほぞ部１８の頭部３０が収容される凹部３２が形成され、上側には、ほぞ部１８の溝部２８が嵌合する凸部３４が形成されている。逃げ穴２６は、上面視で男木１２と同一断面の直方体状の穴である。
【００１８】
上記の寄せ撞木ほぞ接合構造１０の施工手順について説明する。
まず、男木１２にほぞ部１８を形成する一方、女木１４にほぞ穴２４、逃げ穴２６を形成する。ほぞ部１８の頭部３０にはビス２０を打ち込んでおく。次に、男木１２のほぞ部１８を女木１４の逃げ穴２６に差し込んだ後、女木１４の軸方向に寄せてほぞ部１８をほぞ穴２４に挿入し、双方を嵌合する。最後に、逃げ穴２６に同形状の図示しない閉塞部材を挿入配置し、ほぞ部１８がほぞ穴２４から逃げ穴２６に動かないように固定する。このようにして、寄せ撞木ほぞ接合構造１０を得ることができる。なお、ほぞ部１８、ほぞ穴２４、逃げ穴２６、閉塞部材の各間を接着剤で接着してもよい。
【００１９】
本実施の形態によれば、木材をめり込みではなくせん断で効かせることで接合部の耐力向上を図ることができる。このため、表に金物を露出させずに伝統的な接合構造を高耐力化することが可能である。また、男木１２に対して撞木状のほぞ部１８を、女木１４に対してほぞ部１８と同形状のほぞ穴２４と逃げ穴２６のみを設ければよいことから、上記の従来の寄せ蟻ほぞ接合構造に比べて製作加工が容易である。ルーターで容易に加工できるため、高度な技能を有していない者でも簡単に加工ができ、さらに機械加工も可能であるため、生産性が高い。
【００２０】
＜本発明の効果の検証＞
図２に示すような形状寸法の木質の接合構造について、許容引張力を比較した。図２（１）は従来の寄せ蟻ほぞ接合構造（比較例）であり、（２）は本発明の実施例である。比較例では、めり込みによる許容引張力が１６．２ｋＮ、首部分の許容引張力が２４５．２ｋＮ、蟻ほぞ軸方向せん断による許容引張力が１７２．８ｋＮであった。これに対し、本実施例では、首部分の許容引張力が２４５．２ｋＮ、撞木ほぞ軸方向せん断による許容引張力が６０ｋＮ＋αであった。ここで、６０ｋＮは木材のせん断強度、＋αは補強用ビスによる強度向上による増加分である。比較例のめり込みによる許容引張力が１６．２ｋＮであるのに対し、本実施例の撞木ほぞ軸方向せん断による許容引張力が６０ｋＮ＋αであることから、本実施例は比較例に比べて３．７倍以上の耐力向上が図れることがわかる。
【００２１】
上記の実施の形態においては、せん断補強材としてビス２０を設けた場合を例にとり説明したが、本発明はビスに限るものではなく、ほぞ部１８のせん断補強をするものであればいかなるものでもよい。このようにしても、上記と同様の作用効果を奏することができる。また、せん断補強材は省略することもできるが、接合構造の耐力を向上する上で設けることが望ましい。
【００２２】
また、上記の実施の形態においては、２つの部材が男木１２、女木１４の木質材で構成される場合を例にとり説明したが、本発明は木質材に限るものではなく、例えば樹脂材などで構成してもよい。このようにしても、上記と同様の作用効果を奏することができる。
【００２３】
また、本実施の形態は、例えば、トラス構造の継手、机や椅子などの家具や設備の軸組部分など、引張りが生じる接合部分に適用することもできる。
【００２４】
以上説明したように、本発明に係る寄せ撞木ほぞ接合構造によれば、部材どうしを接合する構造であって、一方の部材の上面に設けられたほぞ穴および逃げ穴と、他方の部材の下面に設けられ、一方の部材の逃げ穴からほぞ穴に寄せてほぞ穴に嵌合する側方視で撞木状のほぞ部とを備え、ほぞ穴はほぞ部と同一形状に形成されているので、製作加工が容易で、耐力に優れた寄せ撞木ほぞ接合構造を提供することができる。
【００２５】
また、本発明に係る他の寄せ撞木ほぞ接合構造によれば、ほぞ部のせん断補強をするためのせん断補強材をさらに備えるので、寄せ撞木ほぞ接合構造の耐力をさらに向上することができる。
【産業上の利用可能性】
【００２６】
以上のように、本発明に係る寄せ撞木ほぞ接合構造は、庇の腕木、釣束と鴨居などの部材どうしの接合に有用であり、特に、表に金物を露出させずに伝統工法による接合構造を高耐力化するのに適している。
【符号の説明】
【００２７】
１０  寄せ撞木ほぞ接合構造
１２  男木（部材）
１４  女木（部材）
１６  下面
１８  ほぞ部
２０  ビス（せん断補強材）
２２  上面
２４  ほぞ穴
２６  逃げ穴
２８  溝部
３０  頭部
３２  凹部
３４  凸部
【図１】
2020197042.tif 000003
【図２】
2020197042.tif 000004
【図３】
2020197042.tif 000005
【図４】
2020197042.tif 000006